(57)【要約】      （修正有）【課題】爪切り動作時に生じる力から保護された装飾を有する爪切りを提供する。【解決手段】爪切りＮｃは、上刃体１の刃先と下刃体２の刃先とが互いに離れる方向に弾性的に、上刃体１と下刃体２とが結合された刃体部Ｂと、力点部を有する金属製の押圧操作てこ４０と、装飾体６０とを含む押圧操作てこ部Ｌと、支軸Ｓとを備る。さらに、支軸Ｓの上端部を上刃体１上に突出させて、当該上端部に上刃体１上で押圧操作てこ部Ｌが支持される。【選択図】図１
0003167962.tif 000002
【実用新案登録請求の範囲】
【請求項１】
上刃体の刃先と下刃体の刃先とが互いに離れる方向に弾性的に、上刃体と下刃体とが結合された刃体部と、
力点部を有する金属製の押圧操作てこと、装飾体とを含む押圧操作てこ部と、
支軸とを備え、
前記支軸の上端部を前記上刃体上に突出させて、当該上端部に当該上刃体上で前記押圧操作てこ部が支持される爪切り。
【考案の詳細な説明】
【技術分野】
【０００１】
本考案は、爪切り、特に装飾を有する爪切りに関する。
【背景技術】
【０００２】
実用品である爪切りに、爪を切るという本来の機能を損なわずに装飾を施してユーザの興に供するものが提案されている（例えば、下記特許文献１参照）。図２及び図３にこのような爪切りの一例を示す。図２に示すように、爪切り１００において、金属からなる上刃体１と下刃体２とはそれらの後端部で固着され、それらの前端に形成された刃先１ａ，２ａが互いに離れる方向への弾性を有している。上下両刃体１，２の前端部にはそれらの刃先１ａ，２ａ付近で支軸３が回動可能に挿通され、この支軸３の下端の頭部３ａが下刃体２の下面に係止されているとともに、この支軸３の上端部が上刃体１の上方へ突出している。
【０００３】
押圧操作てこ４は一定厚の金属板材からなるてこ本体５と、プラスチックからなる装飾体６とを備えている。てこ本体５の前端部には切欠部７により一対の支持腕８が二股状に形成されている（図３参照）とともに、てこ本体５上の前部には凹所９が切欠部７に連続するように形成され、このてこ本体５の上下両面は平面状をなしている。装飾体６の前端部には切欠部１０により一対の支持腕１１が二股状に形成され、この両支持腕１１付近で力点部１２が突設されている。
【０００４】
装飾体６はてこ本体５の凹所９内に接着され、てこ本体５の切欠部７に装飾体６の両支持腕１１が挿入されててこ本体５の両支持腕８の内側に重合されている。前記支軸３の上端部は上刃体１上で装飾体６の両支持腕１１間で切欠部１０に挿入され、てこ本体５の両支持腕８及び装飾体６の両支持腕１１に設けられた小穴ｈに金属製の支持ピン１３が挿着されて押圧操作てこ４が支軸３に対し上刃体１上で回動可能に支持されている。
【０００５】
図３に示すように、使用時においては、押圧操作てこ４を上下反転させて傾斜させ、押圧操作てこ４の装飾体６の力点部１２を上刃体１上に当接させる。このように、爪切り１００では、てこ本体５から分離して設けた装飾体６を力点部１２として兼用することによって、てこ本体５に力点部を突設する必要を無くして、てこ本体５の成形を容易にしている。また、装飾体６がてこ本体５の凹所９内に嵌着されているばかりではなく、てこ本体５の両支持腕８と装飾体６の両支持腕１１とが支持ピン１３により互いに連結されることにより、てこ本体５に対し装飾体６を確実に位置決めできる。
【先行技術文献】
【特許文献】
【０００６】
【特許文献１】登録実用新案第２５１７７２２号公報
【考案の概要】
【考案が解決しようとする課題】
【０００７】
上述の爪切り１００においては、爪切り時には、作用点として働く押圧操作てこ４に負荷された力を、プラスチック製の装飾体６は小穴ｈで支点として受け止め、押圧操作てこ４に負荷された力がレバー比で倍加されて力点部１２に働く。この場合、力点部１２に働く力の数倍の力が小穴ｈ（支点）に働く。装飾体６はプラスチック製であるので、小穴ｈ及び力点部１２に働く力によって圧縮変形あるいは破損などの損傷を受けやすい。たとえ短時間の使用では目立たなくてもやがては変形や破断に到る。
【０００８】
装飾体６の小穴ｈに働く力は、他の支点として働く押圧操作てこ４の先端、つまりてこ本体５の両支持腕８に設けられた小穴と分散しているように見える。しかしながら、押圧操作てこ４は金属製であるので、実際には、支点に働く力はプラスチック製の装飾体６の小穴ｈに集中することになり、小穴ｈ部の破断を招く。
【０００９】
装飾体６に用いられるプラスチックとしては、押圧操作てこ４に負荷された力の数倍の力に繰り返し抗することができる、十分な強度及び経時安定性を有するものに限定される。仮に、プラスチック以外のものを用いる場合には、強度及び経時安定性を満たす必要があることは同様であり、使用できる材料は著しく限定される。この観点から、例えば、漆や、漆工芸品等を用いることができない。
【００１０】
また、装飾体６は支持ピン１３によって支軸３に固定されているので、装飾体６が損傷した場合などに良品と交換するためには、装飾体６から支持ピン１３を抜いて、爪切り１００を分解する必要があり、煩わしく困難な作業が強いられる。これは、装飾体６が損傷していない場合に、別のものに交換する場合も同様である。
【００１１】
上述の問題に鑑みて、本考案は爪切り動作時に生じる力から保護された装飾を有する爪切りを提供することを目的とする。
【課題を解決するための手段】
【００１２】
上記目的を達成するために、本考案に係る爪切りは、上刃体の刃先と下刃体の刃先とが互いに離れる方向に弾性的に、上刃体と下刃体とが結合された刃体部と、
力点部を有する金属製の押圧操作てこと装飾体とを含む押圧操作てこ部と、
支軸とを備え、
前記支軸の上端部を前記上刃体上に突出させて、当該上端部に当該上刃体上で前記押圧操作てこ部が支持される。
【００１３】
このような構成では、爪切り時に押圧操作てこ部の操作時に、支点及び力点に発生する力から装飾体が保護される。よって、装飾体の材質に対する強度要求は緩和されて、例えば漆芸などを利用した文字、絵、図案、図柄で代表される装飾に供することができる。装飾は下地処理を含み、主として漆芸を利用し、蒔絵技術も適用できる。
【考案の効果】
【００１４】
本考案によると、爪切り動作時に生じる力から保護された装飾を有する爪切りを提供できる。
【図面の簡単な説明】
【００１５】
【図１】本考案に係る爪切りを示す斜視図である。
【図２】従来の爪切りの構成を示す展開図である。
【図３】図２の爪切りの使用時の状態を示す斜視図である。
【考案を実施するための形態】
【００１６】
図１を参照して、本考案の実施の形態に係る爪切りについて説明する。図１に示すように、爪切りＮｃは、刃体部Ｂと、押圧操作てこ部Ｌと、支軸Ｓとを含む。刃体部Ｂは、上述の爪切り１００と同様に、それぞれの前端に刃先１ａ，２ａが形成された金属からなる上刃体１と下刃体２が後端部で固着されている。刃体部Ｂは、爪切り１００における押圧操作てこ４及び装飾体６が、それぞれ押圧操作てこ４０と装飾体６０とに交換されている。
【００１７】
具体的には、押圧操作てこ４０は、爪切り操作時に要求される強度を有する金属などの材料で、爪切り１００における装飾体６に類似した形状に形成されている。つまり、押圧操作てこ４０には、その前端部に力点部１２が設けられている。そして装飾体６０は、押圧操作てこ４０の力点部１２側に力点部１２を外した位置から後端に向かって延在している。押圧操作てこ部Ｌは、押圧操作てこ４０の前端部に設けられた穴に挿入される支持ピン１３によって支軸Ｓを介して刃体部Ｂに取り付けられて、爪切りＮｃが組み立てられる。
【００１８】
このように、装飾体６０には力点部（力点部１２）も支点（小穴ｈ）も存在しないので、爪切り操作時に押圧操作てこ部Ｌに掛けられた力を支点及び力点として受け止めないので、これらの力に起因する圧縮変形あるいは破損などの損傷を免れる。
【００１９】
本実施の形態においては、装飾体６０は押圧操作てこ４０の外形に対応した筒状の外形に嵌合する内径を有するように形成されると共に、押圧操作てこ部Ｌの上部側（非操作時に外側に位置する）に絵などの図柄が描かれている。なお、絵などの図柄の代わりに、漆工芸、象嵌工芸、或いは宝飾など任意の装飾を施すことができる。
【００２０】
装飾体６０に施す装飾は、爪を切るという爪切り本来の機能を損なわずに施す必要がある。しかしながら、近年、爪切りは、外国人観光客の土産品の定番になりつつあり、爪切り本来の機能に加えて、その土地の伝統等、独自の文化が表現されていることが好ましい。
【００２１】
上記に鑑み、図１に示す装飾体６０の場合は、日本の伝統工芸を適用し、漆を塗った下地処理後に、漆や蒔絵塗料で描いた模様の上に金粉、銀粉等を蒔きつける蒔絵による装飾を施してある。蒔絵は日本固有の漆芸技術であり、他国の漆関連商品にこのような技術は用いられていないが、爪切りのような実用品に蒔絵による装飾を施した商品は従来無かった。そのため、蒔絵による装飾を施した爪切りは、土産品、記念品、贈答品等として好適であり、日本の伝統工芸を国外に発信することが可能である。
【００２２】
装飾の他の例として、板状に切った貝を貼り付ける螺鈿、金箔の貼り付け等を施してもよい。装飾は、装飾体６０の表面の全体に施しても良いし、任意の箇所に部分的に施してもよい。
【００２３】
なお、装飾は、装飾体６０の表面に直接施したままであってもよいし、透明あるいは半透明の材質、例えば樹脂によって表面を被覆して、保護などの表面処理を施してもよい。このような表面の被覆は、ポッティング等の加工により行うことができる。表面処理を施すことにより、装飾体６０の表面に施された装飾が傷ついたり剥がれたりすることを防止でき、爪切りＮｃの装飾性を長期に維持することができる。この表面処理は特に、蒔絵、螺鈿、金箔の貼り付け等の技法を適用した装飾に対して施すと有効である。
【００２４】
本実施の形態においては、装飾体６０は、押圧操作てこ４０の外形に嵌合させて取り付けられるが、取り付けには接着剤を用いてもよいし、係止爪のような機械的な手段を用いて着脱自在に構成しても良い。このように、装飾体６０を押圧操作てこ４０と別体に構成したのちに、一体化して押圧操作てこ部Ｌを構成することによって、以下に述べる利点がある。
【００２５】
まず、押圧操作てこ４０の表面に直接施すことが困難な装飾を、別の適した素材に施して装飾体６０として、装飾を有した押圧操作てこ部Ｌを完成させることができる。装飾を施すのが困難とは、装飾材料と押圧操作てこ４０の材質との相性の悪さ、また作業スペースの問題等の種々の問題が考えられる。これらを、押圧操作てこ４０とは離れた別の環境で解決できる。
【００２６】
押圧操作てこ４０と装飾体６０をそれぞれ別に作成できるので、装飾体６０（爪切りＮｃ）の大量生産に適している。また、着脱自在に構成した場合には、同一の爪切りＮｃに対して種々の装飾体６０を交換して楽しむことができる。なお、装飾体６０が損傷した場合の交換も容易である。
【００２７】
上述のように、爪切りＮｃでは、爪切り時に押圧操作てこ部の操作時に、支点及び力点に発生する力から装飾体が保護される。よって、装飾体の材質に対する強度要求は緩和されて、例えば漆芸などを利用した文字、絵、図案、図柄で代表される装飾に供することができる。装飾は下地処理を含み、主として漆芸を利用し、蒔絵技術も適用できる。
【００２８】
本実施の形態において、装飾体６０の表面には、漆および塗料を塗って箔を貼る下地処理後に蒔絵による装飾を施した漆器としたが、蒔絵調の模様を有するシートやフィルム等を貼り付けることによって装飾を施してもよい。また、他の方法で装飾を施してもよい。
【００２９】
なお、本実施の形態においては、刃体部ＢにカバーＣが装着されている。カバーＣを設けることにより、切った爪の飛散が防止されると共に、操作時にはユーザがカバーＣの先端を持つことにより、爪切りＮｃの操作性が向上する。しかしながら、カバーＣを設けることは必須ではない。
【００３０】
上述のように、本考案に係る爪切りは、爪切り動作時に生じる力から保護された装飾を有するため、爪切り本来の機能を長期に維持することができる上に、装飾に、日本の伝統工芸である蒔絵、螺鈿、金箔の貼り付け等の技法を適用することが可能となる。これらの技法が適用された装飾は表面処理によって保護されるため、繊細な美しさを長期に維持することができる。従って、本考案に係る爪切りは、土産品、記念品、贈答品等として好適であり、日本の伝統工芸を国外に発信することが可能である。
【産業上の利用可能性】
【００３１】
本考案は、装飾を有する爪切りに利用することができる。
【符号の説明】
【００３２】
Ｎｃ、１００  爪切り
Ｂ  刃体部
１  上刃体
２  下刃体
１ａ、２ａ  刃先
Ｓ、３  支軸
Ｌ  押圧操作てこ部
４、４０  押圧操作てこ
６、６０  装飾体
１２  力点部
１３  支持ピン
ｈ  小穴
Ｃ  カバー
【図１】
0003167962.tif 000003
【図２】
0003167962.tif 000004
【図３】
0003167962.tif 000005